(57)【要約】      （修正有）【課題】ビデオカメラや電子スチルカメラ等の小型の表示器では、選択されている部分を拡大表示することで、読みやすくするとともに、外部のモニタＴＶ等の大型画面を持った表示装置に接続された場合には、これを検出して拡大表示を行なわない。【解決手段】メニューキーによりビデオカメラや電子スチルカメラ等のオンスクリーンに当該機器を制御するための各種の項目のメニューを表示するメニュー表示手段と、表示されているメニューの特定の項目を選択するメニュー項目選択手段、それにより選択された特定の項目だけを拡大表示する拡大表示手段よりなり、オンスクリーン表示で、選択されている部分を拡大表示するようにして、小さな表示画面でも読みやすくするとともに、モニタＴＶ等の外部の大型の表示画面を持った表示装置に接続された場合には、これを検出してメニュー画面の文字の拡大表示を行なわないような制御を行なう。【選択図】図８
2008042931.tif 000002
【特許請求の範囲】
【請求項１】
メニュー表示とスクリーン表示との切替えを行う第１の入力手段と、
上記第１の入力手段の操作により、スクリーンに装置を制御するための各機能の指定を行うメイン項目メニューを表示するメイン項目表示手段と、
上記メイン項目表示手段により表示されている、メイン項目メニューの特定の項目を選択する項目選択手段と、
上記項目選択手段により選択された特定の項目の設定の状態を表示するサブ項目表示手段と、
上記項目選択手段により選択された特定の項目と、上記サブ項目表示手段により表示された設定状態とを拡大表示する拡大表示手段と、
他の表示装置が接続されているかいないかを検出する表示装置検出手段と、
表示装置検出手段の検出結果により拡大表示手段を使用するかしないかを判別する判別手段を設けたオンスクリーン表示装置。
【請求項２】
請求項１記載のオンスクリーン表示装置において、
他の表示装置として開閉するパネルが接続されており、上記パネルが閉じているときのみ拡大表示手段が動作し拡大表示するようにしたオンスクリーン表示装置。
【請求項３】
請求項１のオンスクリーン表示装置において、
上記項目選択手段により選択された特定のメイン項目を、縦方向に拡大するようにしたオンスクリーン表示装置。
【請求項４】
請求項１のオンスクリーン表示装置において、
上記項目選択手段により選択された特定のメイン項目を、２倍に拡大するようにしたオンスクリーン表示装置。
【請求項５】
スクリーン上に機器を制御するためのメニューをオンスクリーン表示する方法であって、
まずスクリーン上に機能を表示するメインメニュー項目を表示させ、
次に上記メインメニュー項目の中から特定のメインメニュー項目を選択し、
次いで選択された特定のメインメニュー項目の設定状態を表示するサブ項目を表示させ、
上記メインメニュー項目の中から選択された特定のメインメニュー項目と、上記設定されたサブメニュー項目を拡大して表示するようにし、
次いで他の表示装置が接続されているかいないかを検出し、
検出結果により拡大表示手段を使用するかしないかを判別するオンスクリーン表示方法。
【発明の詳細な説明】
【技術分野】
【０００１】
本発明は、ビデオカメラや電子スチルカメラのオンスクリーン表示方法とこれを実施した装置に関する。
【背景技術】
【０００２】
ビデオカメラや電子スチルカメラはその回路がデジタル化された結果装置の小型化が急速に進んでいる。これにともない、ビデオカメラや電子スチルカメラでは、操作ボタンの数を少なくして操作を容易にするために、操作の内容等をメニューより選択する方式のものが広く実用化されている。ビデオカメラや電子スチルカメラのメニューは本体のＬＣＤパネルやビューファインダーに表示するようにしたものが多く使用されている。
【特許文献１】特開平０５−１９１６８２号公報
【特許文献２】特開平０９−０８１３２０号公報
【特許文献３】特開平０７−００６１７７号公報
【特許文献４】特開平０５−１６１０８５号公報
【発明の開示】
【発明が解決しようとする課題】
【０００３】
しかしながら、ビデオカメラや電子スチルカメラのＬＣＤパネルやビューファインダーは、表示画面が小さく、又、その解像度も良くないために、メニュー等の表示内容が読みずらいという問題があった。ビデオカメラや電子スチルカメラのＬＣＤパネルやビューファインダーの表示内容を読み易くするために、表示文字を拡大すると、一画面に表示出来る文字の数が１／２、１／３等と少なくなり、一画面で表示出来た内容が二画面で表示することが必要になり画面全体の内容を把握しずらくなる。又、選択するメニューの項目を捜すために、何頁も改ページをすることが必要になり操作が煩雑になるという問題がある。
【０００４】
一方ビデオカメラの出力のオンスクリーン表示をモニタＴＶ等の外部の大型の表示画面で表示する場合には、メニュー画面の文字の拡大表示を行なわなくても、文字の読み取りは十分できるので、このような場合にもメニュー画面の文字の拡大表示を行なうと、一画面に表示出来る文字の数が少なくなり、画面全体の状態を把握しずらくなることがある。
【課題を解決するための手段】
【０００５】
本発明のオンスクリーン表示装置は、メニューキーによりビデオカメラや電子スチルカメラのオンスクリーンにビデオカメラや電子スチルカメラの機器を制御するための各種の項目のメニューを表示するメニュー表示手段、メニュー表示手段により表示されているメニューの特定の項目を選択するメニュー項目選択手段、メニュー項目選択手段により選択された特定の項目だけを拡大表示する拡大表示手段よりなり、ビデオカメラや電子スチルカメラのオンスクリーン表示で、選択されている部分を拡大表示するようにして、小さな表示画面でも読みやすい装置を実現するとともに、モニタＴＶ等の外部の大型の表示画面を持った表示装置に接続された場合には、これを検出してメニュー画面の文字の拡大表示を行なわないような制御を行なうようにしたものである。
【発明の効果】
【０００６】
以上の説明より明らかなように、本発明のオンスクリーン表示方法とこれを実施した装置は、ビデオカメラや電子スチルカメラのオンスクリーン表示で、選択されている部分を拡大表示するようにして、小さな表示画面でも読みやすい表示を行なうようにするとともに、モニタＴＶ等の外部の大型の表示画面を持った表示装置に接続された場合には、これを検出してメニュー画面の文字の拡大表示を行なわないような制御を行なうようにしたものである。このために、最近のビデオカメラや電子スチルカメラで操作ボタンの数を少なくして操作を容易にするために、操作の内容等をメニューより選択する方式の装置で、ＬＣＤパネルやビューファインダーが小型で画面が小さく、又、その解像度も良くないような場合にも、メニュー等の表示内容が読み易く設定を容易に行なうことが出来るとともに外部大型表示装置に表示する場合は拡大表示を行わないことも出来る。
【発明を実施するための最良の形態】
【０００７】
図１と図２は、本発明のオンスクリーン表示装置及び表示方法を説明するためのスクリーンの表示状態の一例を示した図である。図１と図２により、図１と図２のスクリーンに表示されているメニューの内容は、ビデオカメラに使用されているメニューの一例である。先ず、図１と図２のスクリーンに表示されているメニューの各項目の機能について説明する。メニューの各項目は各機能の指定を行なうメイン項目と、メイン項目の設定を行なうサブ項目とにより構成されている。以下に各メイン項目の機能の説明を簡単に行なう。
【０００８】
デジタルズーム：そのカメラの備えている光学的なズームの拡大率を越えて画像データをデジタル処理して画面の拡大を行なうデジタルズームの機能を行なうか、行なわないかの設定をおこなう項目である。デジタルズームにより、光学的なズームの拡大率を越えた画面の拡大を行なうと記録画面の画質は拡大率に比例して悪くなるので、デジタルズームの機能を使うか使わないかの設定がこの項目により行われる。この項目がＯＮに設定されるとデジタルズームの機能が働く。
ワイドＴＶ：撮影画面の大きさを通常のＴＶ画面にするか、横長のワイドＴＶの画面にするかの設定を行なう。この項目がＯＮに設定されると撮影画面の大きさがワイドＴＶの画面になる。
【０００９】
手振れ補正：カメラに備えられている手振れ補正の機能を使用するかしないかの設定を行なう。この項目がＯＮに設定されると手振れ補正の機能が働く。
Ｎ．Ｓ．ライト：夜間の撮影時に赤外線ライトを点灯するかどうかの設定を行なう。ただし、赤外線フィルタが外されていることが条件。この項目がＯＮに設定されると赤外線フィルタが外されている夜間撮影時に赤外線ライトが点灯する。
風音低減：録音マイクが風の音を録音してノイズとなることがあるので、風の音のノイズを低減する機能を動作させるかどうかの設定を行なう。この項目がＯＮに設定されると風の音のノイズを低減する機能が動作する。
【００１０】
ＡＥシフト：通常カメラの撮影条件は自動的に、最良の条件に設定されるが、手動により例えば露出の値を替えたい場合には、この項目をＯＮにして、設定値の変更を行なう。
フォト：ビデオカメラより静止画像を撮影する電子カメラの状態で使用することがあるが、この項目をＯＮにして各種の撮影と録画の上掲を設定する。
メニューで終了：この項目が選定されるとメニュー画面が終了する。ＯＮ、ＯＦＦは上記の各メイン項目の設定を行なうサブ項目である。
【００１１】
図１と図２のメニュー画面を使用して、図３により、本発明のオンスクリーン表示方法とこれを実施した装置の動作を説明する。図３は、本発明のオンスクリーン表示方法とこれを実施した装置が適用されるビデオカメラの制御回路構成の一例を示す図である。図３において、ＫＥＹはキー入力装置で、ビデオカメラに対してメニューによる各種の設定等を行なうものである。キー入力装置ＫＥＹは、表示装置の表示をメニュー画面とスクリーン表示に切り替えを行なう「ＭＥＮＵ」、メニューの選択を行なう「ＵＰ」、「ＤＯＷＮ」、メイン／サブのメニュー画面の切り替えを行なう「ＯＫ」等のキーを持っている。ＣＰＵはビデオカメラの動作の制御を行なうマイクロプロセッサである。ＭＯはマイクロプロセッサＣＰＵのメモリである。
【００１２】
ＤＩＣはオンスクリーン表示ＩＣで表示装置に対して表示信号を発生する。
ＤＳＰはビデオカメラの表示装置で、ＬＣＤパネル等が使用されている。図３に示すような構成を持ったビデオカメラの制御回路に本発明を適用した場合の動作を以下に説明する。図３のビデオカメラの制御回路では、マイクロプロセッサＣＰＵは、常時、図４のフローチャートに示すような動作を行いビデオカメラの動作の制御を行なっている。即ち、キー入力装置ＫＥＹの入力処理の動作と、オンスクリーン表示ＩＣのＤＩＣに対する制御と、その他の処理とを時分割により繰り返し行なうことにより、ビデオカメラの全体の制御を行っている。
【００１３】
キー入力装置ＫＥＹの入力処理の動作は図５のフローチャートに示すような操作が行われ、その情報がメモリＭＯに読み込まれる。キー入力装置ＫＥＹの入力処理においては、「ＭＥＮＵ」キーが押されると、メニュー画面の表示のＯＮ、ＯＦＦを切り替えその情報をメモリＭＯに読み込まれる。このメニュー画面の表示のＯＮ、ＯＦＦの情報によりメニュー画面とスクリーン表示の切り替えが行なわれる。
【００１４】
メニュー画面の表示がＯＮになった場合には、ビデオレコーダの表示画面には、例えば、図１の（ａ）に示すようなメニュー画面が表示される。このメニュー画面はビデオの撮影中の場合には、スクリーン表示の画面の上に文字の部分と網の部分以外が抜けた状態でメニューが表示される。このメニューの状態は、現在のビデオレコーダの各種の設定の状態を表している。図１の（ａ）のメニュー画面では、デジタルズームの項目が選定されており、この項目の文字が、２倍角の文字により表示されており、その横にサブ項目のＯＮも２倍角の文字により表示されている。これは、現在ビデオレコーダのデジタルズームの項目がＯＮに設定され、デジタルズームの機能が働く状態を示している。メイン項目のメニューの表示では選定されているメイン項目の設定内容であるサブ項目のＯＮ、ＯＦＦの状態は、メイン項目の横に２倍角の文字により表示される。
【００１５】
このような状態で、撮影画面の大きさの変更を行なう場合には、「ＤＯＷＮ」キーを押して、図１の（ｂ）に示すように、メイン項目の選択をワイドＴＶに移す。この結果、メイン項目のデジタルズームの項目の文字が通常の表示に戻り、ワイドＴＶの文字が２倍角の文字により表示され、その横にサブ項目のＯＮが２倍角の文字により表示される。これにより、現在のビデオレコーダの画面はワイドＴＶに設定されていることを示している。撮影画面の大きさを通常のＴＶ画面にするために、「ＯＫ」キーを押すと図２の（ａ）に示すように、メニューのメイン項目とサブ項目の選択を切り替えられて表示され、サブ項目の２倍角の文字のＯＮの下に通常の文字の大きさのＯＦＦも表示される。このような状態で、「ＤＯＷＮ」キーを押して、図２の（ｂ）に示すように、サブ項目の選択をＯＮからＯＦＦに移すと、サブ項目のＯＦＦの文字が２倍角に変わり、ＯＮ文字が通常の文字の大きさに変わる。
【００１６】
これにより、撮影画面の大きさは横長のワイドＴＶの画面から通常のＴＶ画面へ変更が行なわれたことを示している。このように、「ＯＫ」キーが押されると、この時メニュー画面の表示がＯＮで、メニューが表示装置ＤＳＰに表示中の場合にはメニューのメイン項目とサブ項目の選択を切り替えてこの情報をメモリＭＯに読み込まれる。但し、「ＯＫ」キーが押された時にメニュー画面の表示がＯＦＦでスクリーン表示が行われている場合にはメニュー画面の表示は行なわず、スクリーン表示を続ける。
【００１７】
又、「ＵＰ」キーが押されると、この時メニュー画面の表示がＯＮで、メニューが表示装置ＤＳＰに表示中の場合にはメニューのメイン項目又はサブ項目のどちらが選択されているかを調べ、選択されている項目の行を一つ上に設定してこの情報をメモリＭＯに読み込むが、「ＵＰ」キーが押された時にメニュー画面の表示がＯＦＦでスクリーン表示か行われている場合には動作は行なわず、スクリーン表示を続ける。又、「ＤＯＷＮ」キーが押されると、この時メニュー画面の表示がＯＮで、メニューが表示装置ＤＳＰに表示中の場合にはメニューのメイン項目又はサブ項目のどちらが選択されているかを調べ、選択されている項目の行を一つ下に設定この情報をメモリＭＯに読み込むが、「ＤＯＷＮ」キーが押された時にメニュー画面の表示がＯＦＦでスクリーン表示が行われている場合には動作は行なわず、スクリーン表示を続ける。
【００１８】
又、キー入力装置ＫＥＹの入力処理中にキー入力装置ＫＥＹが押されない場合には、キー入力装置ＫＥＹの入力処理動作は行なわず、スクリーン表示を続ける。オンスクリーンＩＣの制御処理の動作は、図６のフローチャートに示すような操作が行われ、その情報がメモリＭＯに読み込まれる。図６のフローチャートのオンスクリーンＩＣの制御処理においては、この時メニュー画面の表示がＯＮに設定され、メニューが表示装置ＤＳＰに表示中の場合には、メニュー画面の中で表示する項目の決定を行なう。表示する項目のメイン／サブの項目の行が、現在選択している項目と一致していたらその項目を拡大表示する。表示する項目のメイン／サブの項目の行が、現在選択している項目と一致してない場合には拡大せずに表示する。
【００１９】
現在一般に使用されているオンスクリーンＩＣの中には、選択された行の一部だけを拡大表示する機能を持たず、その行全てを拡大表示してしまうような機能のＩＣが多く存在する。このような機能のオンスクリーンＩＣに対する制御処理の動作は図７のフローチャートに示すような操作が行われ、その情報がメモリＭＯに読み込まれる。図７のフローチャートのオンスクリーンＩＣの制御処理においては、この時メニュー画面の表示がＯＮで、メニューが表示装置ＤＳＰに表示中の場合には、メニュー画面の中で表示する項目の行の決定を行なう。表示する項目のメイン／サブの項目の行が、現在選択している項目の行と一致していたらその行を拡大表示する。表示する項目のメイン／サブの項目の行が、現在選択している項目の行と一致してない場合には拡大せずに表示する。
【００２０】
上記のようにメニュー画面上の特定の項目、又は特定の行を拡大表示することにより、表示画面の文字全てを拡大するのに対して、一表示画面に表示出来る文字の数を多くすることが出来る。この場合、選択された特定の項目、又は特定の行を拡大表示することにより、選択されているものを目立たせることが出来るのだけでなく、拡大表示することにより必要な文字が読み易くなるという効果が発生する。拡大表示の割合は、通常２倍程度が適当であるが、表示画面と通常の表示文字の大きさとの関係でこの拡大表示の割合は任意に設定することにより、一番見やすい拡大の割合を決めることが出来る。
【００２１】
表示画面にＬＣＤ等が使用されその表示面積が小さい場合には、表示文字の縦方向のみを２倍にすることで、横方向に表示出来る文字の数を減らすことなく必要な文字、又は行の拡大表示を行なうことも可能である。図８は、本発明のオンスクリーン表示方法とこれを実施した装置が適用されるビデオカメラの制御回路構成の他の例を示す説明図である。図８のビデオカメラの制御回路は、モニタＴＶ等の外部の大型の表示画面を持った表示装置にオンスクリーン表示を行なわせることが出来るような構成を持ったビデオカメラの制御回路である。
【００２２】
図８のビデオカメラの制御回路では、図３のビデオカメラの制御回路と同一の構成で同じ機能を持っている入力装置ＫＥＹとメモリＭＯについては、図８の動作説明には必要ないので図面より省略してある。図８において、ＣＰＵはビデオカメラの動作の制御を行なうマイクロプロセッサである。ＤＩＣはオンスクリーン表示ＩＣで表示装置に対して表示信号を発生する。ＤＳＰはビデオカメラの表示装置で、ＬＣＤパネル等が使用されている。ＶＦはビデオカメラのビューファインダー、ＭＮは外部表示装置でモニタＴＶ等の外部の大型の表示画面を持った表示装置である。ＰＪは外部表示装置を接続するためのピンジャック、ＳＷＪはピンジャックが接続された時に動作するピンジャック接続スイッチである。ＳＷＰはパネル開閉スイッチで、ビデオカメラのピンジャック等をカバーしているパネルが開かれると動作するスイッチである。
【００２３】
オンスクリーン表示ＩＣのＤＩＣの出力は、ビデオカメラの表示装置ＤＳＰ、ビューファインダーＶＦ及びピンジャックＰＪを介して外部表示装置ＭＮに接続されている。ピンジヤック接続スイッチＳＷＪとパネル開閉スイッチＳＷＰの出力はマイクロプロセッサＣＰＵに接続えられている。図８に示すような構成を持ったビデオカメラの制御回路に本発明を適用した場合の動作を以下に説明する。図８のビデオカメラの制御回路でも、マイクロプロセッサＣＰＵは、図３のビデオカメラの制御回路と同様に、マイクロプロセッサＣＰＵは、常時、図４から図７のフローチャートに示すような動作を行いビデオカメラの動作の制御を行なっている。即ち、キー入力装置ＫＥＹの入力処理の動作と、オンスクリーン表示ＩＣのＤＩＣに対する制御と、その他の処理とを時分割により繰り返し行なうことにより、ビデオカメラの全体の制御を行っている。
【００２４】
キー入力装置ＫＥＹの入力処理の動作は、図５のフローチャートに示すような図３のビデオカメラの制御回路における動作に加えて、図９のフローチャートに示すような動作を行い、その情報がメモリＭＯに読み込まれる。図９のフローチャートのキー入力装置ＫＥＹの入力処理においては、ピンジャック接続の状態を検出しその結果の情報がメモリＭＯに読み込まれる。オンスクリーンＩＣの制御処理の動作は図９のフローチャートに示すような操作が行われ、その情報がメモリＭＯに読み込まれる。オンスクリーンＩＣの制御処理においては、ピンジャック接続の状態を検出しその結果の情報によって、ピンジャックに外部表示装置ＭＮが接続されている場合には、選択された項目の拡大表示は行なわずにメニューを表示する。又、ピンジャックＰＪに外部表示装置ＭＮが接続されていない場合には、図３の装置時に説明したのと同様に、メニューの選択された項目の拡大表示を行う。
【００２５】
パネルを開くとパネルに表示し、パネルを閉じるとビューファインダーに表示を行なう方式のビデオカメラが多い。このような方式のビデオカメラでは、パネルの方が表示サイズが大きいので、パネルでは拡大表示する必要が無く、ビューファインダーでのみ拡大表示する必要がある場合が考えられる。このため、パネルの開閉状態を検出してメニューの選択された項目の拡大表示を行うかどうかの判別を行なうことも出来る。この場合のキー入力装置ＫＥＹの入力処理動作を、図１０のフローチャートに示す。図１０のフローチャートでは、ピンジャック接続の状態を検出するかわりに、パネルの開閉状態を検出するパネル開閉スイッチＳＷＰの情報がメモリＭＯに読み込まれる。
【００２６】
オンスクリーンＩＣの制御処理の動作は図１０のフローチャートに示すような操作が行われ、その情報がメモリＭＯに読み込まれる。オンスクリーンＩＣの制御処理においては、パネル開閉スイッチＳＷＰによりパネル開閉の状態を検出しその結果の情報によって、パネルが開かれている場合には、選択された項目の拡大表示は行なわずにメニューを表示する。又、パネルが閉じられている場合には、図３の装置の時に説明したのと同様に、メニューの選択された項目の拡大表示を行う。このようにパネルで表示しているか、ビューファインダーで表示しているかを検出してメニューの拡大表示を行うかどうかの判断を行なうことにより、より使い勝手の良いメニューの表示を行なうことが出来る。
【図面の簡単な説明】
【００２７】
【図１】本発明のオンスクリーン表示方法を説明するためのスクリーンの表示状態の一例を示した図である。
【図２】本発明のオンスクリーン表示方法を説明するためのスクリーンの表示状態の一例を示した図である。
【図３】本発明のオンスクリーン表示方法とビデオカメラの制御回路構成の一例を示す図である。
【図４】ビデオカメラの動作の制御を説明するためのフローチャートである。
【図５】キー入力装置ＫＥＹの入力処理の動作を説明するためのフローチャートである。
【図６】オンスクリーンＩＣの制御処理の動作を説明するためのフローチャートである。
【図７】オンスクリーンＩＣの制御処理の動作を説明するためのフローチャートである。
【図８】本発明のオンスクリーン表示方法とこれを実施した装置が適用されるビデオカメラの制御回路構成の他の例を示す説明図である。
【図９】図８のビデオカメラの制御回路に使用されるオンスクリーンＩＣの制御処理の動作を説明するためのフローチャートである。
【図１０】図８のビデオカメラの制御回路に使用されるオンスクリーンＩＣの制御処理の動作を説明するためのフローチャートである。
【符号の説明】
【００２８】
ＫＥＹ・・・キー入力装置， ＭＥＮＵ・・・表示装置の表示をメニュー画面とスクリーン表示に切り替えを行なうキー，
ＵＰ・・・メニューの選択を行なうキー， ＤＯＷＮ・・・メニューの選択を行なうキー，
ＯＫ・・・メイン／サブのメニュー画面の切り替えを行なうキー， ＭＯ・・・マイクロプロセッサＣＰＵのメモリ，
ＤＩＣ・・・オンスクリーン表示ＩＣ， ＤＳＰ・・・ビデオカメラの表示装置， ＶＦ・・・ビデオカメラのビューファインダー， ＭＮ・・・外部表示装置，
ＰＪ・・・外部表示装置を接続するためのピンジャック， ＳＷＪ・・・ピンジャックが接続された時に動作するピンジャック接続スイッチ，
ＳＷＰ・・・パネル開閉スイッチ
【図１】
2008042931.tif 000003
【図２】
2008042931.tif 000004
【図３】
2008042931.tif 000005
【図４】
2008042931.tif 000006
【図５】
2008042931.tif 000007
【図６】
2008042931.tif 000008
【図７】
2008042931.tif 000009
【図８】
2008042931.tif 000010
【図９】
2008042931.tif 000011
【図１０】
2008042931.tif 000012